(57)【特許請求の範囲】
【請求項１】
金属板により形成される台座と、一端部が前記台座に回動可能に取り付けられるハンドルと、一端部が前記ハンドルに回動可能に取り付けられ他端部に引掛け部を有する引掛け用レバーとを備えるパチン錠において、
前記台座は、
取付対象物に取り付けるための取付孔を有する一対のベース部と、
これら一対のベース部にそれぞれの先端部が互いに離間する方向に折り曲げられて互いに対向するように立ち上がり形成されるとともにそれぞれの先端部付近に支持孔を有し、前記支持孔に挿通される支軸を介して前記ハンドルの一端部を回動可能に支持する一対の支持片部と、
前記一対のベース部間にあって前記ハンドルの長手方向の中間部に対応する部位に位置させて前記一対の支持片部の突出方向と同じ方向に突出するように設けられ、互いに対向する一対の立上がり片部およびこれら一対の立上がり片部の先端部同士を連結した連結片部を一体に有して全体として前記立上がり片部の基端部側が開口したコ字形に形成され、前記連結片部にて前記ハンドルの長手方向の中間部を受けるハンドル受け部とを有し、
前記一対のベース部は、前記一対の支持片部および前記ハンドル受け部の外側に２箇所に分けて配置され、
前記台座は、一枚の金属板を折り曲げることによって前記一対のベース部と前記一対の支持片部と前記ハンドル受け部を一体に形成したものであることを特徴とするパチン錠。
【請求項２】
前記ハンドル受け部における前記連結片部の高さ寸法を、前記一対の支持片部における前記支持孔の中心の高さ寸法とほぼ同じとなるように設定したことを特徴とする請求項１記載のパチン錠。
【請求項３】
前記ハンドルには係合手段が設けられ、前記ハンドル受け部における前記連結片部には、前記係合手段が係脱可能に係合する係合部が設けられていることを特徴とする請求項１または２記載のパチン錠。
【発明の詳細な説明】
【技術分野】
【０００１】
本発明は、トランク等の筐体の蓋止めなどに使用されるパチン錠に関する。
【背景技術】
【０００２】
この種のパチン錠はてこの原理を利用したもので、基本的には、パチン錠本体と、このパチン錠本体を筐体等の取付対象物に取り付けるための台座とから構成される。このうちパチン錠本体は、手指によって回動操作されるハンドルと、一端部がこのハンドルに回動可能に設けられるとともに他端部に引掛け部を有する引掛け用レバーとを備えている。台座には、前記ハンドルの一端部を回動可能に取り付けるための支持片部が設けられている（例えば、特許文献１参照）。
【０００３】
ところで、この種のパチン錠を、例えば大型の建設機械のトランクの蓋止めに用いるような場合、大きな強度が必要なため、パチン錠本体のハンドルや引掛け用レバー、台座が大型化するとともに大きな強度も必要となる。
【０００４】
図１３および図１４には、この種のパチン錠の一例が示されている。まず、図１３において、パチン錠１は、パチン錠本体２と、台座３とから構成される。このうちパチン錠本体２は、この場合金属製のハンドル４と、引掛け用レバー５とを備えている。引掛け用レバー５は、一端部がピン５ａにより前記ハンドル４に回動可能に取り付けられている。また、引掛け用レバー５の他端部には引掛け部５ｂが設けられている。この引掛け部５ｂは、図示しないばね部材によりハンドル４側に付勢されている。
【０００５】
これに対して台座３は、図１４に示すように、金属板からなる第１のベース部材６と、同じく金属板からなる第２のベース部材７とを組み合わせて構成されている。このうち、第１のベース部材６は、それぞれ平板状をなし取付孔６ａを有する一対のベース部６ｂ，６ｂと、これら一対のベース部６ｂに立ち上がり形成された対向する一対の支持片部６ｃ，６ｃと、これら一対の支持片部６ｃ，６ｃを側部で連結した連結片部６ｄとを一体に有していて、一対の支持片部６ｃ，６ｃの先端部付近に支持孔６ｅが形成されている。第２のベース部材７は、それぞれ段付きの平板状をなし取付孔７ａを有する一対のベース部７ｂと、これら一対のベース部７ｂ，７ｂ間に一体に設けられたハンドル受け部７ｃとを有している。ハンドル受け部７ｃは、一対の支持片部６ｃ，６ｃの突出方向と同方向に突出して互いに対向する一対の立上がり片部７ｄと、これら一対の立上がり片部７ｄの先端部同士を連結した連結片部７ｅとを一体に有していて、全体として立上がり片部７ｄの基端部側が開口したコ字形をなしている。連結片部７ｅには、係合孔７ｆが形成されている。
【０００６】
そして、第１のベース部材６の各ベース部６ｂの一部と第２のベース部材７の各ベース部７ｂの一部を、それぞれの取付孔６ａ，７ａを合致させて重ね合わせた状態で、それらを例えばスポット溶接により接合（×印で示す溶接部８参照）することにより、台座３が形成されている。
【０００７】
このような構成において、パチン錠本体２と台座３とは次のようにして組み付けられる。すなわち、パチン錠本体２におけるハンドル４の一端部を台座３における前記一対の支持片部６ｃ，６ｃ間に挿入し、そのハンドル４の一端部を支持孔６ｅに挿通された支軸９を介して回動可能に取り付けることによって、パチン錠本体２が台座３に取り付けられた状態となる。
【０００８】
このような構成のパチン錠１は、台座３の取付孔６ａ，７ａを挿通した図示しないボルトにより、台座３を取付対象物である例えば図示しない筐体に固定することによって筐体に取り付けられる。そして、ハンドル４を回動させて引掛け用レバー５の引掛け部５ｂを、図示しない筐体の蓋に設けられた被引掛け部に引っ掛けて、そのハンドル４をハンドル受け部７ｃ側に回動させることで、前記蓋が閉鎖状態に保持される。
【先行技術文献】
【特許文献】
【０００９】
【特許文献１】特開２００１−２４１２５０号公報
【発明の概要】
【発明が解決しようとする課題】
【００１０】
上記した従来構成のものでは、台座３は、一対の支持片部６ｃ，６ｃを有する第１のベース部材６と、ハンドル受け部７ｃを有する第２のベース部材７を製作し、これらを溶接により接合して１部品として構成する必要があった。このため、部品点数が多く、また、接合のための溶接工程や溶接治具が必要であり、コストが高くなるという課題があった。
【００１１】
そこで、本発明の目的は、コストの低減化を図ることができるパチン錠を提供することにある。
【課題を解決するための手段】
【００１２】
上記した目的を達成するために、本発明は、金属板により形成される台座と、一端部が前記台座に回動可能に取り付けられるハンドルと、一端部が前記ハンドルに回動可能に取り付けられ他端部に引掛け部を有する引掛け用レバーとを備えるパチン錠において、
前記台座は、
取付対象物に取り付けるための取付孔を有する一対のベース部と、
これら一対のベース部にそれぞれの先端部が互いに離間する方向に折り曲げられて互いに対向するように立ち上がり形成されるとともにそれぞれの先端部付近に支持孔を有し、前記支持孔に挿通される支軸を介して前記ハンドルの一端部を回動可能に支持する一対の支持片部と、
前記一対のベース部間にあって前記ハンドルの長手方向の中間部に対応する部位に位置させて前記一対の支持片部の突出方向と同じ方向に突出するように設けられ、互いに対向する一対の立上がり片部およびこれら一対の立上がり片部の先端部同士を連結した連結片部を一体に有して全体として前記立上がり片部の基端部側が開口したコ字形に形成され、前記連結片部にて前記ハンドルの長手方向の中間部を受けるハンドル受け部とを有し、
前記一対のベース部は、前記一対の支持片部および前記ハンドル受け部の外側に２箇所に分けて配置され、
前記台座は、一枚の金属板を折り曲げることによって前記ベース部と前記一対の支持片部と前記ハンドル受け部を一体に形成したものであることを特徴とする。
【発明の効果】
【００１３】
本発明によれば、台座は、一対のベース部と一対の支持片部とハンドル受け部を、一枚の金属板を折り曲げることによって一体に形成することが可能になったことで、例えば一対の支持片部側とハンドル受け部側とを別々に形成し、これらを溶接等で接合して一体化する場合に比べて、部品点数を少なくできるとともに、溶接などの接合工程を省略でき、コストの低減化を図ることができる。
【図面の簡単な説明】
【００１４】
【図１】本発明の第１の実施形態を示す分解斜視図
【図２】組立状態での上方からの斜視図
【図３】組立状態での裏側からの斜視図
【図４】組立状態を示すもので、（ａ）は正面図、（ｂ）は平面図、（ｃ）は右側面図
【図５】組立状態での縦断正面図
【図６】台座を示すもので、（ａ）は正面図、（ｂ）は平面図、（ｃ）は右側面図
【図７】展開状態で示す台座の平面図
【図８】本発明の第２の実施形態を示す図１相当図
【図９】分解状態での正面図
【図１０】組立状態を示すもので、（ａ）は正面図、（ｂ）は平面図、（ｃ）は右側面図、（ｄ）は左側面図
【図１１】図６相当図
【図１２】図７相当図
【図１３】従来例を示す組立状態の斜視図
【図１４】台座の斜視図
【発明を実施するための形態】
【００１５】
（第１の実施形態）
以下、本発明の第１の実施形態について図１〜図７を参照して説明する。本実施形態が対象とするパチン錠は、例えば建設機械における筐体の蓋止めに用いられるものであるが、それ以外の用途に用いることができることは勿論である。
【００１６】
まず、図１〜図４において、パチン錠１１は、金属板により形成される台座１２と、パチン錠本体１３とを備える。パチン錠本体１３は、一方向に延びる金属製のハンドル１４と、引掛け用レバー１５とを備えている。ハンドル１４の一端部１４ａには、台座１２に回動可能に取り付けるための支軸１６が取り付けられる。なお、ハンドル１４の台座１２への取付構造は後述する。
【００１７】
ハンドル１４において、これの長手方向の中間部１４ｂにはロック手段を構成するシリンダ錠１７が設けられている。シリンダ錠１７は、キー挿入穴１８ａを有するキーロータ１８が回動可能に設けられていて、そのキーロータ１８の先端部に、係合手段を構成するロックプレート１９（図３、図５参照）が取着されている。ロックプレート１９は、一方向に長い小判形に形成されている。キーロータ１８は、キー挿入穴１８ａに挿入される図示しないキーによって回動させることが可能になる。ハンドル１４において、これの一端部１４ａとシリンダ錠１７との間には、台座１２側へ突出するアーム部２０が一体に設けられている。ハンドル１４の他端部１４ｃは、台座１２側（図１において下方）へやや湾曲している。
【００１８】
前記引掛け用レバー１５は、ハンドル１４と同方向に長いコ字形をなす金属板製のレバー本体２２と、環状をなす引掛け部２３ａを有するフック部材２３とを備えている。レバー本体２２において、前記ハンドル１４側が開放した一端部２２ａがピン２４によりハンドル１４のアーム部２０に回動可能に取り付けられている。フック部材２３は、引掛け部２３ａとは反対側に棒状部２３ｂ（図４、図５参照）を有していて、その棒状部２３ｂが、レバー本体２２の他端部２２ｂに長手方向に移動方向に挿入されている（図５参照）。引掛け部２３ａは、レバー本体２２の他端部２２ｂの外側に配置されている。棒状部２３ｂの周りには圧縮コイルばねからなるばね部材２５が設けられていて、その棒状部２３ｂの先端部には、ばね受けプレート２６がピン２７により取着されている。ばね部材２５は、棒状部２３ｂの周りに位置した状態で、プレート２６とレバー本体２２の他端部２２ｂとの間に配置され、フック部材２３をハンドル１４側に付勢している。
【００１９】
次に台座１２について図６および図７も参照して説明する。この台座１２は、一枚の金属板を折り曲げることによって形成したものである。台座１２は、一対のベース部３０，３０を有している。各ベース部３０は取付孔３１を有している。各取付孔３１は、並び方向に長い長孔となっている。一対のベース部３０には、互いに対向するように一対の支持片部３２が形成されている。これら一対の支持片部３２は、それぞれの先端部が互いに離間する方向に折り曲げられて立ち上がるように形成されている。各支持片部３２の先端部付近には、円形の支持孔３２ａ，３２ｂが形成されている。一対の支持片部３２は、これらの支持孔３２ａ，３２ｂに挿入される前記支軸１６を介して前記ハンドル１４の一端部１４ａを回動可能に支持する部分である。
【００２０】
台座１２において、一対のベース部３０，３０間には、一対の支持片部３２の隣に位置させてハンドル受け部３３がベース部３０に一体に設けられている。ハンドル受け部３３は、ハンドル１４の中間部１４ｂに対応する位置に位置させて前記支持片部３２の突出方向と同方向に突出するように設けられている。ハンドル受け部３３は、具体的には、互いに対向する一対の立上がり片部３４，３４と、これら一対の立上がり片部３４，３４の先端部同士を連結する連結片部３５を一体に有していて、全体として立上がり片部３４の基端部側が開口したコ字形に形成されている。連結片部３５には、係合部を構成する係合孔３６が形成されている。
【００２１】
この係合孔３６は、前記ロックプレート１９が挿通可能な小判形をなしている。ロックプレート１９が係合孔３６に挿入された状態で、当該ロックプレート１９がキーロータ１８を介して９０度回動されることに伴い、係合孔３６の周縁部に係合されるようになっている。したがって、ロックプレート１９は、係合孔３６に対して係脱可能に係合するようになっている。連結片部３５において、一対の支持片部３２とは反対側の端部に補強用の折曲げ片３７が一体に設けられている。
【００２２】
図７には、台座１２の展開図が示されている。この図７において、台座１２の各部に対応する部分は図６などと同一の符号が付されており、各部の折り曲げラインは二点鎖線で示されている。そして、この場合、図６（ａ）に示すように、ハンドル受け部３３における連結片部３５の上面の高さ寸法（ハンドル受け部３３のベース部３０の裏面からの高さ寸法）Ｈ１は、支持片部３２における支持孔３２ａ，３２ｂの中心の高さ寸法（ベース部３０の裏面からの高さ寸法）Ｈ２とほぼ同じで（Ｈ１≒Ｈ２）、この場合、約３０ｍｍに設定している。
【００２３】
このような構成のパチン錠１１において、台座１２とパチン錠本体１３とは次のようにして組み付けられる。すなわち、パチン錠本体１３におけるハンドル１４の一端部１４ａを台座１２における一対の支持片部３２，３２間に挿入し、そのハンドル１４の一端部１４ａを、支持孔３２ａ，３２ｂに挿通された支軸１６を介して回動可能に取り付けることによって、パチン錠本体１３が台座１２に取り付けられた状態となる（図２、図３、図４参照）。
【００２４】
このような構成のパチン錠１１は、台座１２の取付孔３１を挿通した図示しないボルトにより、台座１２を取付対象物である例えば建設機械の筐体３９（図５の二点鎖線参照）に固定することによって筐体３９に取り付けられる。そして、ハンドル１４を回動させて引掛け用レバー１５の引掛け部２３ａを、筐体３９の蓋４０（図５の二点鎖線参照）に設けられた被引掛け部４０ａに引っ掛けて、そのハンドル１４をハンドル受け部３３側に回動させることで、前記蓋４０が閉鎖状態に保持される。このとき、ロックプレート１９が連結片部３５の係合孔３６に挿入された状態で、ハンドル１４の中間部１４ｂがハンドル受け部３３の連結片部３５にて受けられた状態となる。またこのとき、蓋４０を閉鎖状態に保持するためには、図５において、支点となる支軸１６（ハンドル１４と台座１２との連結部）と、作用点となる引掛け部２３ａと被引掛け部４１との係合点とを結ぶ直線より、力点となるピン２４（ハンドル１４と引掛け用レバー１５との連結点）が筐体３９側に位置する必要がある。
【００２５】
そして、キーロータ１８のキー挿入穴１８ａに図示しないキーを挿入して、そのキーによりキーロータ１８を９０度回動させることで、ロックプレート１９も同方向に回動し、当該ロックプレート１９が係合孔３６の周縁部に係合することで、ロック状態となる。このロック状態においては、キー挿入穴１８ａに合致するキーを用いて開放させないと、前記蓋４０の閉鎖状態を開放することができない。
【００２６】
上記した第１の実施形態によれば次のような作用効果を得ることができる。
まず、台座１２は、一対のベース部３０，３０と一対の支持片部３２，３２とハンドル受け部３３を、一枚の金属板を折り曲げることによって一体に形成することが可能になったことで、例えば一対の支持片部側とハンドル受け部側とを別々に形成し、これらを溶接等で接合して一体化する場合に比べて、部品点数を少なくできるとともに、溶接などの接合工程を省略でき、コストの低減化を図ることができる。
【００２７】
また、ハンドル受け部３３における連結片部３５の上面の高さ寸法（ベース部３０の裏面からの高さ寸法）Ｈ１を、支持片部３２における支持孔３２ａ，３２ｂの中心の高さ寸法（ベース部３０の裏面からの高さ寸法）Ｈ２とほぼ同じ（Ｈ１≒Ｈ２）となるように設定することで、ハンドル受け部３３の高さ寸法Ｈ１を従来のものよりも高く設定することができる。これにより、ハンドル１４の他端部１４ｃに手指を掛ける際に、その他端部１４ｃと取付対象物となる筐体３９との間に手指を差し込み易くなり、ハンドル１４の操作性、ひいてはパチン錠１１の操作性の向上を図ることが可能になる。
【００２８】
さらに、ハンドル１４には係合手段を構成するロックプレート１９が設けられ、ハンドル受け部３３における連結片部３５には、前記ロックプレート１９が係脱可能に係合する係合孔３６が設けられているので、これらロックプレート１９と係合孔３６により、蓋４０の閉鎖状態を一層確実に保持することが可能になる。なお、ハンドル１４におけるシリンダ錠１７およびロックプレート１９、ハンドル受け部３３側の係合孔３６は、必ずしも必要なものではなく、必要に応じて設ければよいものである。
【００２９】
（第２の実施形態）
次に本発明の第２の実施形態について図８〜図１１を参照して説明する。なお、第１の実施形態と同一の部分には同一の符号を付して説明を省略し、主に異なっている部分について説明する。
【００３０】
パチン錠４１は、金属板により形成される台座４２と、パチン錠本体４３とを備える。このうち台座４２は、一枚の金属板を折り曲げることによって形成したものであるが、前記台座１２とは次の点が異なっている。すなわち、一対のベース部３０，３０における両取付孔４４は、並び方向に対して直交する方向に長い長孔とされている。一対の支持片部３２，３２の立ち上がり寸法および支持孔３２ａ，３２ｂの中心までの高さ寸法は、第１の実施形態と同じであるが、一対の支持片部３２，３２間の間隔寸法Ｋ２（図１１（ｂ）参照）が、第１の実施形態の間隔寸法Ｋ１（図６（ｂ）参照）よりも大きく設定されている（Ｋ２＞Ｋ１）。また、ハンドル受け部４５における一対の立上がり片部４６，４６の高さ寸法、ひいては連結片部３５の高さ寸法Ｈ３（図１１（ａ）参照）を、第１の実施形態の連結片部３５の高さ寸法Ｈ１および支持片部３２における支持孔３２ａ，３２ｂの中心の高さ寸法Ｈ２よりも低く設定している（Ｈ３＜Ｈ１，Ｈ２）。
【００３１】
パチン錠本体４３において、一対の支持片部３２，３２に支持される支軸１６には、間隔寸法Ｋ２が大きくなった分のスペースを埋めるため、スペーサ４７が設けられている。また、引掛け用レバー４８におけるレバー本体４９の長手方向の中間部から一端部４９ａ側にかけては、他端部４９ｂ側よりも幅広に形成されていて、一端部４９ａとハンドル１４のアーム部２０との間にスペーサ５０が設けられている。
【００３２】
このような構成とした第２の実施形態においても、基本的に第１の実施形態と同様な作用効果を得ることができる。
本発明は上記した実施形態に限られず、要旨を逸脱しない範囲内で適宜変更して実施することができる。
【符号の説明】
【００３３】
図面中、１１はパチン錠、１２は台座、１３はパチン錠本体、１４はハンドル、１４ａは一端部、１４ｂは中間部、１４ｃは他端部、１５は引掛け用レバー、１６は支軸、１７はシリンダ錠（ロック手段）、１９はキーロータ（係合手段）、２２はレバー本体、２３ａは引掛け部、２５はばね部材、３０はベース部、３１は取付孔、３２は支持片部、３２ａ，３２ｂは支持孔、３３はハンドル受け部、３４は立上がり片部、３５は連結片部、３６は係合孔（係合部）、３９は筐体（取付対象物）、４０は蓋、４１はパチン錠、４２は台座、４３はパチン錠本体、４４は取付孔、４５はハンドル受け部、４６は立上がり片部、４８は引掛け用レバーを示す。
【図１】
0005735297.tif 000002
【図２】
0005735297.tif 000003
【図３】
0005735297.tif 000004
【図４】
0005735297.tif 000005
【図５】
0005735297.tif 000006
【図６】
0005735297.tif 000007
【図７】
0005735297.tif 000008
【図８】
0005735297.tif 000009
【図９】
0005735297.tif 000010
【図１０】
0005735297.tif 000011
【図１１】
0005735297.tif 000012
【図１２】
0005735297.tif 000013
【図１３】
0005735297.tif 000014
【図１４】
0005735297.tif 000015